(57)【要約】 【課題】  組み付け性並びに、防音性に優れる間仕切りパネルの組立体及び、その施工方法を提供することを目的とする。【解決手段】  間仕切りパネルの組立体１０は向かい合う表裏一対のパネル１１と、この両パネル１１を隔てた状態に保持する間隔保持部材２１とからなり、当該パネル１１の端部同士を突き合わせながら継ぎ合わせてゆくことで躯体Ｓを区画する。これら、両パネル１１はその上部及び下部だけが間隔保持部材２１を介して繋がっており、その他の部分は隔てられている。そのため、騒音は一方側のパネル１１から他方側のパネル１１に直接伝達せず、間隔保持部材２１を介して伝達されることとなるが、この間隔保持部材２１は躯体Ｓに対して接続される。そのため、躯体Ｓが騒音の一部を吸収することとなるから防音性能に優れるものとなる。また、躯体Ｓに対して表裏両パネル１１を一括して組み付けることが出来るから、作業性がよい。【選択図】  図１１
2005155141.tif 000002
【特許請求の範囲】
【請求項１】
躯体の天井面並びに床面の一部に対向して設けられる一対の待ち受けランナーに対し、前記待ち受けランナーの側面に沿った水平方向の組付け動作によって組み付けられるとともに、
向かい合う表裏一対のパネルと、この両パネルを隔てた状態に保持する間隔保持部材とからなり、当該パネルの端部同士を突き合わせながら継ぎ合わされてゆくことで躯体を区画する間仕切りパネルの組立体であって、
前記組立体の上部並びに下部における前記組み付け方向の前部側であって、両パネルの間には前記待ち受けランナーを収容可能な待ち受けランナー収容部が設けられ、
前記組立体の上部並びに下部における前記組み付け方向の後部側であって、両パネルの間には当該組立体を前記待ち受けランナーに対して嵌め合わせた後に、前記躯体に対して後付けされ、かつ隣合うパネル間を継ぎ合わせ可能とする後付けランナーを収容可能な後付けランナー収容部が設けられるとともに、
前記間隔保持部材はこれら両ランナー収容部の間に配され、かつ前記躯体の天井面或いは、前記床面に対して連結可能な構成であることを特徴とする間仕切りパネルの組立体。
【請求項２】
前記両パネル間には、吸音材が充填された構成であることを特徴とする請求項１記載の間仕切りパネルの組立体。
【請求項３】
前記両パネルの対向面には、前記パネルの上下方向に沿った補強材が設けられるとともに、これら補強材は前記間隔保持部材によって隔てた状態に保持された構成であることを特徴とする請求項１又は請求項２に記載の間仕切りパネルの組立体。
【請求項４】
向かい合う表裏一対のパネルを備えてなるとともに、その上部並びに下部におけるそれぞれの両端部であって、前記両パネル間には前後一対の収容部が設けられるとともに、中央部には前記両パネルを隔てた状態で保持する間隔保持部材が装着された間仕切りパネルの組立体を、
躯体の天井面並びに床面の一部に対向して設けられる一対の待ち受けランナーに対して当該待つ受けランナーの側面に沿った水平方向への組み付け動作によって、当該待ち受けランナーが組み付け方向前側の前記収容部に収容されるように嵌め合わせるとともに、この組み付け動作に続いて前記間隔保持部材を前記躯体に対して連結させ、
その後更に、組み付け方向後側の収容部に対して後付けランナーを、その一部を前記パネルの後方へ突出させた姿勢に嵌め合わせ、更に、嵌め合わされた後付けランナーを前記躯体に対して取り付けるとともに、
この取り付け動作に続いて、前記待ち受けランナーとされた前記後付ランナーの突出部分に、次に継ぎ合わされる組立体の組み付け方向前側の収容部を嵌め合わせ、これら動作を繰り返すことで組立体を継ぎ合わせてゆくことを特徴とする間仕切りパネルの組立体の施工方法。
【発明の詳細な説明】
【技術分野】
【０００１】
本発明は、間仕切り用パネル体並びに、その施工方法に関する。
【背景技術】
【０００２】
従来より、建物内の内部空間を区画する間仕切り壁の構造として、建物の天井面と底面との間に格子状の枠体を多数形成しておき、そこに、表面側或いは裏面側より、間仕切り壁をそれぞれ個別に組み付けていた（特許文献１）。
【特許文献１】特開平６−２５７２４０公報（第１図）
【発明の開示】
【発明が解決しようとする課題】
【０００３】
上記構造によれば、枠体に対し表裏両間仕切り壁をそれぞれ個別に取り付ける必要がある。また、間仕切り壁を枠体に固定する際に間仕切り壁を支持する構造物がなく、例えば、間仕切り壁を人手によって位置ズレしないように押さえながら組み付けを行う必要があり改良の余地があった。
加えて、上記構造においては表裏の間仕切り壁が枠体（特に、上下を架設する梁）を介して連結された構成であるため、この枠体によって音が伝達されてしまう。従って、高い防音性が得られず、この点に関しても改良の余地があった。
本発明は上記のような事情に基づいて完成されたものであって、組み付け性並びに、防音性に優れる間仕切りパネルの組立体及び、その施工方法を提供することを目的とする。
【課題を解決するための手段】
【０００４】
上記の目的を達成するための手段として、請求項１の発明は、躯体の天井面並びに床面の一部に対向して設けられる一対の待ち受けランナーに対し、前記待ち受けランナーの側面に沿った水平方向の組付け動作によって組み付けられるとともに、向かい合う表裏一対のパネルと、この両パネルを隔てた状態に保持する間隔保持部材とからなり、当該パネルの端部同士を突き合わせながら継ぎ合わされてゆくことで躯体を区画する間仕切りパネルの組立体であって、前記組立体の上部並びに下部における前記組み付け方向の前部側であって、両パネルの間には前記待ち受けランナーを収容可能な待ち受けランナー収容部が設けられ、前記組立体の上部並びに下部における前記組み付け方向の後部側であって、両パネルの間には当該組立体を前記待ち受けランナーに対して嵌め合わせた後に、前記躯体に対して後付けされ、かつ隣合うパネル間を継ぎ合わせ可能とする後付けランナーを収容可能な後付けランナー収容部が設けられるとともに、前記間隔保持部材はこれら両ランナー収容部の間に配され、かつ前記躯体の天井面或いは、前記床面に対して連結可能な構成であるところに特徴を有する。
【０００５】
請求項２の発明は、請求項１に記載のものにおいて、前記両パネル間には、吸音材が充填された構成であるところに特徴を有する。
請求項３の発明は、請求項１または請求項２に記載のものにおいて、前記両パネルの裏面には、前記パネルの上下方向に沿った補強材が設けられるとともに、これら補強材は前記間隔保持部材によって隔てた状態に保持された構成であるところに特徴を有する。
【０００６】
請求項４の発明は、向かい合う表裏一対のパネルを備えてなるとともに、その上部並びに下部におけるそれぞれ両端部であって、前記両パネル間には前後一対の収容部が設けられるとともに、中央部には前記両パネルを隔てた状態で保持する間隔保持部材が装着された間仕切りパネルの組立体を、躯体の天井面並びに床面の一部に対向して設けられる一対の待ち受けランナーに対して当該待つ受けランナーの側面に沿った水平方向への組み付け動作によって、当該待ち受けランナーが組み付け方向前側の前記収容部に収容されるように嵌め合わせるとともに、この組み付け動作に続いて前記間隔保持部材を前記躯体に対して連結させ、その後更に、組み付け方向後側の収容部に対して後付けランナーを、その一部を前記パネルの後方へ突出させた姿勢に嵌め合わせ、更に、嵌め合わされた後付けランナーを前記躯体に対して取り付けるとともに、この取り付け動作に続いて、前記待ち受けランナーとされた前記後付ランナーの突出部分に、次に継ぎ合わされる組立体の組み付け方向前側の収容部を嵌め合わせ、これら動作を繰り返すことで組立体を継ぎ合わせてゆくところに特徴を有する。
【発明の効果】
【０００７】
＜請求項１・４の発明＞
請求項１・４の発明によれば、躯体に対して表裏両パネルを一括して組み付けることが出来るから、これら各パネルを個別に取り付ける場合と比較して、作業性がよい。また、一旦、待ち受けランナーに組立体が嵌め合わされると、組立体は待ち受けランナーによって仮保持された状態となるから、その後に行う組み付け動作、例えば、組立体とランナーとの組み付け作業等を容易に行うことが出来る。
加えて、両パネルはその上部及び下部だけが間隔保持部材を介して繋がっており、その他の部分は隔てられた構成である。そのため、騒音は一方側のパネルから他方側のパネルに直接伝達せず、間隔保持部材を介して伝達されることとなるが、この間隔保持部材は躯体に対して接続されている。そのため、躯体が騒音の一部を吸収することとなるから、パネルからパネルへ騒音が直接伝達される構造の場合と比較して防音性能に優れるものとなる。
また、間隔保持部材は両パネルを隔てて保持する機能及び、パネルを躯体側に連結させる機構を併せ持つ構成であるから、パネル全体の構成が簡便なものとなる。
【０００８】
＜請求項２の発明＞
請求項２の発明によれば、更に、防音性に優れる。
＜請求項３の発明＞
組立体の厚さ寸法に制約がある場合など、パネルの厚みを十分にとることが出来ない状況においてはパネルを薄くせざるを得なく、剛性が十分に確保できるか懸念されるところであるが、請求項３の発明によれば、補強材によりパネルを補強出来るから、十分な剛性が確保出来る。また、両パネルに設けられる各補強材は間隔保持部材によって隔てられた関係にあるから防音性能が低下することがない。
【発明を実施するための最良の形態】
【０００９】
＜実施形態１＞
本発明の実施形態１を図１ないし図１１によって説明する。図１に示す１０は間仕切りパネルの組立体であって、平板状をなす一対のパネル１１と両パネル１１を隔てた状態に保持するための間隔保持部材２１とを備えてなる。詳細には後記するが、組立体１０は当該パネル１１の端部同士を突き合わせながら継ぎ合わされてゆくことで躯体Ｓを区画する。
また、各組立体１０はランナー３１、３５並びに間隔保持部材２１を介して躯体Ｓに固定されるようになっている。
【００１０】
待ち受けランナー３１及び後付ランナー３５は共に、金属材（本実施形態では、板厚０．８ｍｍのものを使用）よりなるとともに、図２に示すように、断面がコの字状をなす。また、両ランナ３１、３５の全長は異なっており、待ち受けランナー３１の全長は後付けランナー３１の全長の約半分の長さとされている。
【００１１】
このうち待ち受けランナー３１は、組立体１０の取り付けに先だって、躯体Ｓの天井面４１及び床面４５の端部にタッピングスクリュウーＴによりねじ止めされるようになっており、取り付け状態においては、上下両ランナー３１がそれぞれ向かいようにセットされる。
また、本実施形態においては、最終段の組立体１０Ｂを取り付ける際に躯体Ｓに対して後端ランナー３８を取り付けることとしているが、後端ランナー３８は、待ち受けランナー３１と同じものを使用している（図１０参照）。
【００１２】
次に、組立体１０を構成するパネル１１について説明する。本実施形態において、両パネル１１はその幅寸法がほぼ６００ｍｍとされ、高さ寸法がほぼ２５００ｍｍとされている。材質は石膏を主成分とした石膏ボードが使用され、その表面には化粧材が施されている。また、両パネル１１の裏面の左右両縁部並びに、中央部分には金属製の補強材１５が３本上下方向に沿って並列に配されている。補強材１５はパネル１１の裏面の上部並びに下部を除いた全高さに亘って配されている。
【００１３】
間隔保持部材２１は金属製であって、断面コの字状（ランナー３１、３５と同じ断面形状）をなす。間隔保持部材２１は、図６に示すように、両パネル１１の上部同士及び下部同士を架設しており、両パネル１１並びに補強材１５を隔てた状態で支持するようになっている。この間隔保持部材の板厚も０．８ｍｍであって、天井面４１或いは床面４５に対してタッピングスクリュウーＴによりねじ止め出来るようになっている。尚、以下の説明において、間隔保持部材２１のうち躯体Ｓと対面する側の側面を基板２２とする。
【００１４】
また、同図に示すように、間隔保持部材２１の左右両側であって、両パネル１１間は空いた空間となっているが、ここは、収容部２３Ａ、２３Ｂとされており、待ち受けランナー３１の全体並びに後付けランナー３５の前側半分（図８における左側半分）を収容するようになっている。そして、図７に示すように、収容部２３Ａ内に待ち受けランナー３１が収容されると、組立体１０は当該待ち受けランナー３１によって仮保持、すなわち倒れ防止が図られることとなる。尚、収容部２３Ａが本発明の待ち受けランナー収容部であり、収容部２３Ｂが本発明の後付けランナー収容部である。
【００１５】
ところで、組立体１０は上部並びに下部だけが間隔保持部材２１によって接続されており、図５に示すように、その他の部分においては、両パネル１１同士並びに補強材１５同士がそれぞれ離間し、内部には、中空層３９が形成されている。従って、騒音は一方側のパネル１１からもう一方側のパネル１１に直接伝達せず、間隔保持部材２１を介して伝達されることとなるが、この間隔保持部材２１は躯体Ｓに対して連結可能とされている。そのため、躯体Ｓが騒音の一部を吸収することとなるから、騒音がパネル１１からパネル１１へ直接伝達される構造の場合と比較して防音性能に優れるものとなる。
【００１６】
次に、組立体１０の施工方法について説明する。
組立体１０を施工するには、図１に示すように、天井面４１及び床面４５の端部に、待ち受けランナー３１を予め取り付けておく。そして、組立体１０を待ち受けランナー３１に対して位置合わせするとともに、その状態から組立体１０を待ち受けランナー３１に対しその側面に沿って押し込んでゆく（本発明の待ち受けランナーの側面に沿った水平方向の組み付け動作に相当する）。すると、待ち受けランナー３１は組み付け方向前側の収容部２３Ａに差し込まれてゆき、図７に示すように、組立体１０が躯体Ｓの側面に突き当たる位置まで押し込まれると、待ち受けランナー３１の全体が収容部２３Ａ内に収容される。これにより、組立体１０は待ち受けランナー３１によって仮保持されることとなる。
【００１７】
待ち受けランナー３１が収容部２３Ａに収容されたら、今度は、仮保持状態にある組立体１０を躯体Ｓに対して固定する。すなわち、両パネル１１を待ち受けランナー３１に対してタッピングスクリュウーＴによりねじ止めすると共に、間隔保持部材２１の基部２２を天井面４１並びに床面４５に対してタッピングスクリュウーＴによりねじ止めする。尚、本実施形態においては、間隔保持部材２１は躯体Ｓに対して組み付け方向の後端側のみがねじ止めされるようになっている。
【００１８】
その後、図８に示すように、組み付け方向の後部側の収容部２３Ｂに対して、後付けランナー３５をその前側半分を収容させ、後側半分をパネル１１の後方に突出させた状態にセットするとともに、その状態で天井面４１或いは床面４５に対してタッピングスクリュウーＴによりねじ止めする。その後更に、両パネル１１を後付けランナー３５に対しタッピングスクリュウーＴによりねじ止めする。これにて、１つ目の組立体１０の取り付け作業が完了する。
【００１９】
また、後付けランナー３５のうちパネル１１の後端から突出した突出部３６は、先の待ち受けランナー３１に相当するものである。そのため、二つ目の組立体１０Ａを組み付けるには、組立体１０Ａを後付けランナー３５の突出部３６に対して位置合わせしてやり、後は前記した手順に従って、取り付け作業を順次行ってやれば、二つ目の組立体１０を組み付けることが出来る。その後、この組み付け作業を繰り返し行うことで各組立体１０はパネル１１の端部同士を突き合わた状態で継ぎ合わされてゆく。
【００２０】
そして、最終段となったら、今度は、間隔保持部材２１及び後端ランナー（待ち受けランナー３１と同じもの）３８を単体の状態で天井面４１及び床面４５に対してタッピングスクリュウーＴねじ止めする。続いて、単体のパネル１１をランナー３５、３８並びに間隔保持部材２１に宛ってタッピングスクリュウーＴによりねじ止めする。この作業を表裏両面行えば、組立体１０全体の施工が完了し、これにより、室内空間が組立体１０によって区画される。
【００２１】
このように、天井面４１及び床面４５に対して表裏両パネル１１を一括して組み付けることが出来るから、これら各パネル１１を個別に取り付ける場合と比較して作業性がよい。加えて、待ち受けランナー３１に組立体１０が嵌め合わされると、組立体１０は待ち受けランナー３１によって仮保持された状態となるから、その後に行う組立体１０とランナー３１、３５とのねじ留め作業等を容易に行うことが出来る。
【００２２】
また、間隔保持部材２１は両パネル１１を隔てて保持する機能及び、パネル１１を躯体Ｓ側に連結させる機構を併せ持つ構成であるから、組立体１０の構成が簡便なものとなる。
【００２３】
＜実施形態２＞
次に、本発明の実施形態２を図１２及び図１３によって説明する。
実施形態１においては、天井面４１と床面４５との間に、組立体１０を直接嵌め合わせた。しかし、実施形態２において天井面４１には、断面がＨ状をなし、側面が上部パネル５５によって覆われた鉄骨製の梁５１が設けられており、組立体６０は梁５１の下面と床面４５との間に嵌め合わせれる構成とされている。尚、本実施形態において、両ランナー７１、７５は梁５１の下面並びに床面４５に対してそれぞれ装着されるようになっている。また、以下の説明において、組立体６０のパネル６１を下部パネルとする。
【００２４】
梁５１の側面を覆う上部パネル５５について説明すると、上部パネル５５はその幅寸法が組立体６０の幅寸法と同幅に形成される。この上部パネル５５の上部側は天井面４１に対して装着される取り付け具６８にタッピングスクリュウーＴによってねじ止めされている。
【００２５】
次に、上部パネル５５の下部側の取り付け構造について具体的に説明する。
上部パネル５５の下部には凹部５５Ａが形成される一方、下部パネル６１の上部には凹部５５Ａと対向する位置に張リだし縁６２が凸設されており、これら両パネル５５、６１を上下の突き合わせると、丁度、張り出し縁６２が凹部５５Ａに対して収容されるようになっている。待ち受けランナー７１並びに後付ランナー７５は両パネル６１、７１のつなぎ目部分、すなわち凹凸が嵌め合わされる境界部分を前後（図１２における左右方向）に跨ぐような配置とされている。そのため、両ランナー７１、７５に対して両パネル５５、６２をそれぞれタッピングスクリュウーＴによってねじ止めすることが出来るようになっている。
【００２６】
また、組立体６０には、実施形態１と同様に中空層６４が設けられているが、そこには、グラスウールあるいはロックウール製の吸音材６５が充填されており、更に、防音性に優れるものとなっている。尚、組立体６０の取り付け手順等は実施形態１と同様であるため重複した説明は省略するものとする。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２８】
（１）実施形態１及び実施形態２においては、パネル１１、６１の裏面側に補強材１５を設けたが、パネル１１単体で十分な剛性が得られる高い場合には補強材１５を廃止してもよい。
【００２９】
（２）実施形態１及び実施形態２においては、パネル１１、６１に石膏ボードを使用したが、珪酸カリウム製のパネル或いは繊維混入石膏ボードを使用してもよい。
【図面の簡単な説明】
【００３０】
【図１】実施形態１に係る躯体Ｓ並びに、組立体１０の正面図
【図２】待ち受けランナー及び後付けランナーの斜視図
【図３】組立体１０の分解斜視図
【図４】組立体の正面図
【図５】組立体の側面図
【図６】組立体の平面図
【図７】間隔保持部材を躯体Ｓに装着する取り付け作業を示す図
【図８】後付けランナーの取り付け作業を示す図
【図９】組立体の取り付け作業を示す図
【図１０】組立体全体の取り付け作業が完了した状態を示す図
【図１１】図８におけるＡ−Ａ線断面図
【図１２】実施形態２に係る躯体並びに組立体の正面図
【図１３】その断面図
【符号の説明】
【００３１】
１０…組立体
１１…パネル
２１…間隔保持部材
２３…収容部
３１…待ち受けランナー
３５…後付けランナー
【図１】
2005155141.tif 000003
【図２】
2005155141.tif 000004
【図３】
2005155141.tif 000005
【図４】
2005155141.tif 000006
【図５】
2005155141.tif 000007
【図６】
2005155141.tif 000008
【図７】
2005155141.tif 000009
【図８】
2005155141.tif 000010
【図９】
2005155141.tif 000011
【図１０】
2005155141.tif 000012
【図１１】
2005155141.tif 000013
【図１２】
2005155141.tif 000014
【図１３】
2005155141.tif 000015